(57)【要約】【課題】利便性を向上すると共に、省スペース化を図ることができる画像形成装置を提供することである。【解決手段】読取り位置に名刺が載置される（Ｓ１１）。そして、読取りの要求を受け付けて、インプットディスプレイにより、名刺の読取りを行う（Ｓ１２）。そうすると、制御部は、読取った名刺の画像データの中から、宛先のデータを抽出する（Ｓ１３）。そして、抽出した宛先のデータをインプットディスプレイ上に表示するよう制御し（Ｓ１４）、抽出した宛先のデータのうち、所望の宛先を選択させる（Ｓ１５）。そうすると、制御部は、ＦＡＸ通信部を介して、選択された所望の宛先であるＦＡＸ番号先に、所定のデータを送信する（Ｓ１６）。【選択図】図３
2010147789.tif 000002
【特許請求の範囲】
【請求項１】
同一の画面において、画像を読取ると共に、読取った画像データを表示するインプットディスプレイと、
前記インプットディスプレイにより読取った画像データの中から、宛先のデータを抽出する抽出手段と、
前記抽出手段により抽出した前記宛先のデータを前記インプットディスプレイ上に表示するよう制御する制御手段とを備える、画像形成装置。
【請求項２】
前記抽出手段により抽出した前記宛先のデータのうち、所望の宛先を選択させる選択手段を備える、請求項１に記載の画像形成装置。
【請求項３】
前記選択手段により選択された前記所望の宛先に、所定のデータを送信する送信手段を備える、請求項２に記載の画像形成装置。
【請求項４】
原稿の画像を読取って、前記所定のデータを作成する読取り手段を備える、請求項３に記載の画像形成装置。
【請求項５】
前記インプットディスプレイは、読取る画像を載置される読取り位置と、前記読取り位置とは異なる位置であって、前記抽出手段により抽出した前記宛先のデータを表示する表示位置とを含む、請求項１〜４のいずれかに記載の画像形成装置。
【請求項６】
前記インプットディスプレイの大きさは、名刺の大きさと同じ大きさである、請求項１〜５のいずれかに記載の画像形成装置。
【発明の詳細な説明】
【技術分野】
【０００１】
この発明は、画像形成装置に関し、特に複数の機能を具備する画像形成装置に関するものである。
【背景技術】
【０００２】
昨今の画像形成装置には、画像の読取りを行う読取り機能（スキャナ機能）、画像を複写するコピー機能、パソコン等から送信された画像データを用いて画像の形成を行うプリンター機能や、所定のデータを外部へ送信するＦＡＸ機能等の複数の機能を備えるものがある。
【０００３】
ユーザは、ＦＡＸ機能を利用する際、送信する宛先を手入力する。具体的には、名刺等に記載されたＦＡＸ番号を参照して、そのＦＡＸ番号を手入力する。これにより、画像形成装置は、所定のデータを入力された宛先へ送信する。所定のデータは、読取り機能により読取った画像データである。
【０００４】
ここで、読取り機能を備えたスキャナ装置は、例えば、特開２００６−１７９９７７号公報（特許文献１）に開示されている。特許文献１によると、スキャナ装置は、画像の読取りをインプットディスプレイを用いて行うこととしている。
【特許文献１】特開２００６−１７９９７７号公報
【発明の開示】
【発明が解決しようとする課題】
【０００５】
ここで、特許文献１に開示のスキャナ装置を含む画像形成装置においては、ＦＡＸ機能によって所定のデータを外部へ送信する場合、ユーザにとって、送信する宛先を手入力する必要があることから、作業が煩雑となる虞がある。特に、複数の宛先を入力する場合や、画像形成装置の操作に不慣れなユーザにとっては、この傾向が顕著となる。また、上記したように、複数の機能を備える画像形成装置は、一般的に大型となることから、なるべく小さなスペースで設置できることが望ましい。
【０００６】
この発明の目的は、利便性を向上すると共に、省スペース化を図ることができる画像形成装置を提供することである。
【課題を解決するための手段】
【０００７】
この発明に係る画像形成装置は、同一の画面において、画像を読取ると共に、読取った画像データを表示するインプットディスプレイと、インプットディスプレイにより読取った画像データの中から、宛先のデータを抽出する抽出手段と、抽出手段により抽出した宛先のデータをインプットディスプレイ上に表示するよう制御する制御手段とを備える。
【０００８】
好ましくは、抽出手段により抽出した宛先のデータのうち、所望の宛先を選択させる選択手段を備える。
【０００９】
さらに好ましくは、選択手段により選択された所望の宛先に、所定のデータを送信する送信手段を備える。
【００１０】
さらに好ましくは、原稿の画像を読取って、所定のデータを作成する読取り手段を備える。
【００１１】
さらに好ましくは、インプットディスプレイは、読取る画像を載置される読取り位置と、読取り位置とは異なる位置であって、抽出手段により抽出した宛先のデータを表示する表示位置とを含む。
【００１２】
さらに好ましくは、インプットディスプレイの大きさは、名刺の大きさと同じ大きさである。
【発明の効果】
【００１３】
この発明によると、画像形成装置は、画像の読取りを行い、読取った画像データの中から宛先のデータを抽出して表示する。これにより、ユーザにとって、宛先を手入力する必要はないことから、利便性を向上することができる。また、宛先のデータの表示と画像の読取りとを、同一の画面のインプットディスプレイで行うため、省スペース化を図ることができる。
【発明を実施するための最良の形態】
【００１４】
以下、この発明の実施の形態を図面を参照して説明する。図１は、この発明の一実施形態に係る画像形成装置をデジタル複合機１０に適用した場合のデジタル複合機１０の構成を示すブロック図である。図１を参照して、デジタル複合機１０は、デジタル複合機１０全体を制御する制御部１１と、画像データ等の書き込みや読み出しを行うためのＤＲＡＭ１２と、デジタル複合機１０の有する情報を表示するインプットディスプレイ２３を含み、デジタル複合機１０におけるユーザとのインターフェースとなる操作部１３と、原稿を自動的に所定の原稿読み取り位置へ搬送する原稿送り装置１４と、原稿送り装置１４によって搬送されてきた原稿の画像を所定の読み取り位置においてスキャナで読み取る画像読取り部１５と、画像読取り部１５で読み取られた原稿等からその画像を形成する画像形成部１６と、画像データ等を格納するハードディスク１７と、公衆回線２０に接続されるＦＡＸ通信部１８と、ネットワーク２１と接続するためのネットワークＩＦ（インターフェース）部１９とを備える。
【００１５】
制御部１１は、画像読取り部１５から与えられる原稿データをＤＲＡＭ１２に圧縮符号化して書き込み、ＤＲＡＭ１２に書き込んだデータを読み出し、伸張復号化して画像形成部１６により出力する。
【００１６】
デジタル複合機１０は、画像読取り部１５により読み取られた原稿を用いて、ＤＲＡＭ１２を介して画像形成部１６において画像を形成することにより、複写機として作動する。また、デジタル複合機１０は、ネットワークＩＦ部１９を通じて、ネットワーク２１に接続されたパソコン２２から送信された画像データを用いて、ＤＲＡＭ１２を介して画像形成部１６において画像を形成することにより、プリンターとして作動する。さらに、デジタル複合機１０は、ＦＡＸ通信部１８を通じて、公衆回線２０から送信された画像データを用いて、ＤＲＡＭ１２を介して画像形成部１６において画像を形成することにより、また、画像読取り部１５により読み取られた原稿の画像データを、ＦＡＸ通信部１８を通じて公衆回線２０に画像データを送信することにより、ファクシミリ装置として作動する。すなわち、デジタル複合機１０は、画像処理に関し、複写（コピー）機能、プリンター機能、ＦＡＸ機能等、複数の機能を有する。さらに、各機能に対しても、さらに詳細に設定可能な機能を有する。
【００１７】
なお、図１において、太線の矢印は画像データの流れを示しており、細線の矢印は制御信号または制御データの流れを示している。
【００１８】
ここで、インプットディスプレイ２３について詳細に説明する。インプットディスプレイ２３は、低温ポリシリコンＴＦＴ（Ｔｈｉｎ  Ｆｉｌｍ  Ｔｒａｎｓｉｓｔｏｒ）−ＬＣＤ（Ｌｉｑｕｉｄ  Ｃｒｙｓｔａｌ  Ｄｉｓｐｌａｙ）で構成された液晶ディスプレイであって、液晶画素の中に光センサ素子を埋め込まれている。インプットディスプレイ２３は、画像の読取りと画像データの表示とを同一の画面で行う。すなわち、インプットディスプレイ２３は、同一の画面において、画像を読取ると共に、読取った画像データを表示する。また、インプットディスプレイ２３は、タッチパネル形式である。
【００１９】
図２は、操作部１３の一例を示す図である。図１および図２を参照して、インプットディスプレイ２３は、操作部１３に設けられており、読取る画像を載置される読取り位置２４と、読取り位置２４とは異なる位置であって、画像データを表示する表示位置２５とを含む。
【００２０】
読取り位置２４と表示位置２５とは、それぞれ名刺の大きさと同じ大きさである。したがって、インプットディスプレイ２３の大きさは、名刺の大きさより大きい。また、この実施形態においては、読取り位置２４と表示位置２５とは、横方向に隣接するように配置されている。
【００２１】
ここで、インプットディスプレイ２３を用いて名刺を読取り、名刺に記載された宛先に所定のデータを送信する場合について説明する。図３は、インプットディスプレイ２３を用いて名刺を読取り、名刺に記載された宛先に所定のデータを送信する場合を示すフローチャートである。図１〜図３を参照して、まず、読取り位置２４に名刺が載置される（図３において、ステップＳ１１、以下ステップを省略する）。このとき、名刺は、文字等の記載された面が、画面と重なるように載置される。そして、読取りの要求を受け付けて、インプットディスプレイ２３により、名刺の読取りを行う（Ｓ１２）。
【００２２】
そうすると、制御部１１は、読取った名刺の画像データの中から、宛先のデータを抽出する（Ｓ１３）。ここで、制御部１１は、抽出手段として作動する。具体的には、ＯＣＲ（Ｏｐｔｉｃａｌ  Ｃｈａｒａｃｔｅｒ  Ｒｅａｄｅｒ）文字認識等によって、「ＦＡＸ」および「ｅ−ｍａｉｌ」の文字や、数字およびハイフンの位置や、「＠」マークが含まれているか否か等を判断することにより、ＦＡＸ番号と電子メールアドレスとを抽出する。
【００２３】
そして、抽出した宛先のデータをインプットディスプレイ２３上に表示するよう制御する（Ｓ１４）。ここで、制御部１１は、制御手段として作動する。具体的には、ＦＡＸ番号と電子メールアドレスとをインプットディスプレイ２３上の表示位置２５に表示するよう制御する。すなわち、表示位置２５は、抽出した宛先のデータを表示する位置である。図４は、インプットディスプレイ２３において、ＦＡＸ番号と電子メールアドレスとを表示位置２５に表示した一例を示す図である。図４を参照して、インプットディスプレイ２３において、ＦＡＸ番号は、第１の表示位置２６に表示されており、電子メールアドレスは、第２の表示位置２７に表示されている。
【００２４】
そして、抽出した宛先のデータのうち、所望の宛先を選択させる（Ｓ１５）。ここで、制御部１１は、選択手段として作動する。具体的には、表示位置２５に表示したＦＡＸ番号と電子メールアドレスのうち、所望の宛先を表示している第１または第２の表示位置２６，２７をタッチさせることによって選択させる。ここでは、ＦＡＸ番号を表示している第１の表示位置２６が選択される。
【００２５】
そうすると、制御部１１は、ＦＡＸ通信部１８を介して、選択された所望の宛先であるＦＡＸ番号先に、所定のデータを送信する（Ｓ１６）。なお、所定のデータは、ハードディスク１７等に格納されている。ここで、制御部１１は、送信手段として作動する。
【００２６】
このように、デジタル複合機１０は、画像の読取りを行い、読取った画像データの中から宛先のデータを抽出して表示する。これにより、ユーザにとって、宛先を手入力する必要はないことから、利便性を向上することができる。また、宛先のデータの表示と画像の読取りとを、同一の画面のインプットディスプレイ２３で行うため、省スペース化を図ることができる。
【００２７】
なお、上記の実施の形態においては、抽出した宛先のうち、所望の宛先を選択され、その選択された宛先に所定のデータを送信する例について説明したが、これに限ることなく、例えば、ＦＡＸで送信するか、電子メールで送信するかを予め設定しておくことにより、所望の宛先を選択することなく、設定された宛先に所定のデータを送信してもよい。
【００２８】
また、上記の実施の形態においては、インプットディスプレイ２３は、読取る画像を載置される読取り位置２４と、読取り位置２４とは異なる位置であって、画像データを表示する表示位置２５とを含む例について説明したが、これに限ることなく、読取り位置と表示位置とが同じ位置であってもよい。この場合、インプットディスプレイ２３の大きさは、名刺の大きさと同じ大きさであってもよい。
【００２９】
また、上記の実施の形態においては、所定のデータは、ハードディスク１７等に格納されている例について説明したが、これに限ることなく、原稿送り装置１４に送信したい原稿をセットし、原稿送り装置１４によって搬送されてきた原稿の画像を画像読取り部１５により読取ることによって、所定のデータを作成してもよい。ここで、画像読取り部１５は、読取り手段として作動する。この場合、インプットディスプレイ２３で名刺を読取る動作と、画像読取り部１５によって原稿の画像を読取る動作とは、同時に行うことが可能である。
【００３０】
また、上記の実施の形態においては、１枚の名刺を読取る場合について説明したが、これに限ることなく、複数枚の名刺を読取る場合にも適用することができる。これにより、複数の宛先に送信する場合であっても、利便性を向上することができる。
【００３１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【図面の簡単な説明】
【００３２】
【図１】この発明の一実施形態に係る画像形成装置をデジタル複合機に適用した場合のデジタル複合機の構成を示すブロック図である。
【図２】操作部の一例を示す図である。
【図３】インプットディスプレイを用いて名刺を読取り、名刺に記載された宛先に所定のデータを送信する場合を示すフローチャートである。
【図４】インプットディスプレイにおいて、ＦＡＸ番号と電子メールアドレスとを表示位置に表示した一例を示す図である。
【符号の説明】
【００３３】
１０  デジタル複合機、１１  制御部、１２  ＤＲＡＭ、１３  操作部、１４  原稿送り装置、１５  画像読取り部、１６  画像形成部、１７  ハードディスク、１８  ＦＡＸ通信部、１９  ネットワークＩＦ部、２０  公衆回線、２１  ネットワーク、２２  パソコン、２３  インプットディスプレイ、２４  読取り位置、２５  表示位置、２６  第１の表示位置、２７  第２の表示位置。
【図１】
2010147789.tif 000003
【図２】
2010147789.tif 000004
【図３】
2010147789.tif 000005
【図４】
2010147789.tif 000006